(57)【要約】【課題】扇子等としてのみならず、玩具用バットとしても利用することが可能である玩具用バット兼扇子を提供するものである。【解決手段】適宜の軽量素材で形成した玩具用バットであって、この玩具用バットは厚さ方向に分断した状態の複数枚の単位片を組み付けて構成してあり、かつグリップ部分の適所を要とし、上記単位片を要を中心に広げることによって扇子としても利用できるようにしたことを特徴とする玩具用バット兼扇子。【選択図】          図３
2004275547.tif 000002
【特許請求の範囲】
【請求項１】
適宜の軽量素材で形成した玩具用バットであって、この玩具用バットは厚さ方向に分断した状態の複数枚の単位片を組み付けて構成してあり、かつグリップ部分の適所を要とし、上記単位片を要を中心に広げることによって扇子としても利用できるようにしたことを特徴とする玩具用バット兼扇子。
【請求項２】
玩具用バットを厚さ方向に分断した状態の複数枚の単位片が、バット外周部分においてはそれぞれ緊密に接触する厚さに形成され、バット内部においてはその間に中空部分が生まれる薄肉に形成されていることを特徴とする請求項１に記載の玩具用バット兼扇子。
【請求項３】
玩具用バットを厚さ方向に分断した状態の複数枚の単位片が、バット外周部分においてストッパを形成されていて、上記単位片を広げて扇子として使用する際に、隣接する単位片の間を連結できるようにしたことを特徴とする請求項１ないし３のいずれかに記載の玩具用バット兼扇子。
【発明の詳細な説明】
【０００１】
【発明の属する技術分野】この発明は、玩具用バットとして使用できる棒状体を複数の単位片を組み付けて構成し、単位片を広げることにより扇子としても使用できるようにした、玩具用バット兼扇子に関するものである。
【０００２】
【従来の技術】従来より、野球等の観戦などで記念に玩具用バットを購入することがあるが、暑いときには扇子やうちわがあれば便利である。このような場合に玩具用バットと扇子とをそれぞれ持ち歩くのは面倒であり、玩具用バットも嵩張るので単に携行するには不便である。
従来、扇子やうちわととしてのみならず、メガフォンとしても利用することが可能であるうちわ兼用のメガフォンが提案されている（特開８−２２２８７号公報参照）。
【０００３】
【特許文献】特開８−２２２８７号公報
【０００４】
【発明が解決しようとする課題】しかしながら、上記扇子やうちわとしてのみならず、メガフォンとしても利用することが可能であるうちわ兼用のメガフォンにおいては組み立てが面倒であった。またうちわとして利用するには剛性が不足して扱いにくく、メガフォンとして使用する場合には硬すぎて丸めにくいという欠点があった。
【０００５】また上記扇子等としてのみならず、玩具用バットとしても利用することが可能である玩具用バット兼扇子は存在しなかった。
【０００６】
【課題を解決するための手段】この発明の玩具用バット兼扇子は、適宜の軽量素材で形成した玩具用バットであって、この玩具用バットは厚さ方向に分断した状態の複数枚の単位片を組み付けて構成してあり、かつグリップ部分の適所を要とし、上記単位片を要を中心に広げることによって扇子としても利用できるようにしたことを特徴とするものである。
【０００７】またこの発明の玩具用バット兼扇子は、上記玩具用バットを厚さ方向に分断した状態の複数枚の単位片が、バット外周部分においてはそれぞれ緊密に接触する厚さに形成され、バット内部においてはその間に中空部分が生まれる薄肉に形成されていることを特徴とするものである。
【０００８】この発明の玩具用バット兼扇子は、上記玩具用バットを厚さ方向に分断した状態の複数枚の単位片が、バット外周部分において係止部を形成されていて、上記単位片を広げて扇子として使用する際に、隣接する単位片の間を連結できるようにしたことをも特徴とするものである。
【０００９】この発明によれば玩具用バットとしてのみならず、扇子としても使用することができ、組み立てが簡単でしかも扱いやすく、扇子として利用するには充分な剛性を有し、迅速に折り畳んで玩具用バットに変化させることが可能な玩具用バットを提供することができるようになった。
【００１０】
【発明の実施の形態】以下この発明の玩具用バット兼扇子の実施の形態を、図面に基いて詳細に説明する。
図１はこの発明の玩具用バット１実施例を示し、バットの状態の正面図、図面２はその側面図、図３はその上面拡大図、図４は扇子として展開した状態の正面図、図５は各単位片の１例を示す断面図である。
【００１１】図１ないし図３において、この発明の玩具用バット兼扇子は通常の状態においては、玩具用バット１１の状態に保持されている。すなわち、適宜の軽量素材で形成した玩具用バット１１であって、この玩具用バット１１は厚さ方向に分断した状態の複数枚の単位片１２を組み付けて構成してある。上記複数枚の単位片１２は、プラスチックや木材、硬質の紙類、軽金属その他の素材から軽さのみならずコスト等をも勘案して適宜決定することができる。
【００１２】上記単位片１２は、玩具用バット１１は厚さ方向に分断した状態に切り出したり、成形することによって得ることができる。各単位片１２はそれぞれバットの形状−胴体が太く、グリップ部分１３が細くなって端部に抜け止め用のグリップエンド１４が設けられている−に形成され、それらを組み付けてバット形状となるようになっている。
【００１３】上記グリップ部分１３の適所には扇の要が形成されている。図では要の位置にハトメ１５を取り付けて、単位片１２をバット形状となるよう結束している。また、ハトメ１５を中心に各単位片１２広げることにより、図４のように扇子としても利用できるようになっている。１６は各単位片１２どうしを所定の角度で連結して、扇子としてのまとまりを保つために使用するストッパ、１７はストッパ１６のスライド溝である。
なお、上記要の位置にハトメ１５を取り付けて単位片１２をバット形状となるよう結束したが、要としてはハトメ１５に限られるものではない。
【００１４】玩具用バット１１を厚さ方向に分断した状態の上記複数枚の単位片１２は、図５に示すようにバット外周部分においてはそれぞれ緊密に接触する厚さに形成され、バット内部においてはその間に中空部分が生まれる肉厚（薄肉）に形成されている。したがって、剛性部分１８で強度を保ち、薄肉部分１９で軽量化を図っているのである。もちろん、上記薄肉部分１９を膜状とすることもできる。
【００１５】上記玩具用バット兼扇子の使用に際しては、野球観戦の際にバットを打ち鳴らして楽しく応援することができる。
また応援に熱を帯びて熱くなったり、夏期の応援の場合のように外気が暑いときには、ハトメ１５を中心に各単位片１２広げることにより、図４のような扇子の形態とし、扇いで使用することができる。
【００１６】上記各単位片１２にはチームのマークや応援メッセージ、その他の広告等を表現することができ、また色彩を適宜統一したものとして、整然とした応援に使用することもできる。
【００１７】
【発明の効果】この発明によれば玩具用バットとしてのみならず、扇子としても使用することができ、組み立てが簡単でしかも扱いやすく、扇子として利用するには充分な剛性を有し、迅速に折り畳んで玩具用バットに変化させることが可能な玩具用バットを提供することができるようになった。
【図面の簡単な説明】
【図１】この発明の玩具用バット１実施例を示し、バットの状態の正面図である。
【図２】その側面図である。
【図３】その上面拡大図である。
【図４】扇子として展開した状態の正面図である。
【図５】各単位片の１例を示す断面図である。
【符号の説明】
１１  玩具用バット
１２  単位片
１３  グリップ部分
１４  グリップエンド
１５  ハトメ
１６  ストッパ
１７  スライド溝
１８  剛性部分
１９  薄肉部分
【図１】
2004275547.tif 000003
【図２】
2004275547.tif 000004
【図３】
2004275547.tif 000005
【図４】
2004275547.tif 000006
【図５】
2004275547.tif 000007